(57)【要約】【課題】各乗員の夫々が希望する言語で音声案内を行うことができる車載装置及び車載システムを提供する。【解決手段】自動車のナビゲーション装置（車載装置）１は、自動車に乗車する乗員が使用する携帯電話機４からＩＤ情報を受信することで乗員を特定し、複数種類の言語の中から一の言語の指定を受け付け、乗員が着座する着座位置の指定を受け付け、指定された着座位置に対応するスピーカ３に、指定された言語で音声を発生させる。スピーカ３からは、対応する着座位置に対して指向した音声が発せられ、指定された着座位置に着座した各乗員に対して、各乗員について指定された言語で音声案内が行われる。【選択図】図１
2009073428.tif 000002
【特許請求の範囲】
【請求項１】
自動車内の各着座位置に対応した複数のスピーカが接続される車載装置において、
予め準備された複数種類の言語の内から一の言語の指定を受け付ける手段と、
自動車の乗員が着座する着座位置の指定を受け付ける手段と、
指定された着座位置に対応したスピーカに、指定された言語で音声を発生させる手段と
を備えることを特徴とする車載装置。
【請求項２】
自動車内の各着座位置に対応した複数のスピーカが接続される車載装置において、
自動車に乗車する各乗員について、予め準備された複数種類の言語の内から一の言語の指定を受け付ける言語指定受付手段と、
各乗員について、当該乗員が着座する着座位置の指定を受け付ける手段と、
各乗員について指定された着座位置に対応したスピーカに、前記乗員について指定された言語で音声を発生させる手段と
を備えることを特徴とする車載装置。
【請求項３】
乗員を特定する乗員特定情報を受け付ける乗員特定情報受付手段と、
該乗員特定情報受付手段が受け付けた乗員特定情報が特定する乗員について前記言語指定受付手段が受け付けた言語の指定で指定された一の言語を指定する言語指定情報を記憶する手段と、
前記乗員特定情報受付手段が乗員特定情報を受け付けた場合に、受け付けた乗員特定情報が特定する乗員に係る言語指定情報が記憶されているか否かを判定する手段と、
前記乗員に係る言語指定情報が記憶されている場合に、前記乗員について前記言語指定情報で指定された一の言語を指定する手段と
を更に備えることを特徴とする請求項２に記載の車載装置。
【請求項４】
自動車内の各着座位置に対応して設けられる複数のスピーカと、該スピーカが接続される車載装置とを含む車載システムにおいて、
前記車載装置は、
自動車に乗車する各乗員について、予め準備された複数種類の言語の内から一の言語の指定を受け付ける言語指定受付手段と、
各乗員について、当該乗員が着座する着座位置の指定を受け付ける手段と、
各乗員について指定された着座位置に対応したスピーカに、前記乗員について指定された言語で音声を発生させる手段と
を備えることを特徴とする車載システム。
【請求項５】
前記スピーカは、対応する着座位置に対して指向した指向性スピーカであることを特徴とする請求項４に記載の車載システム。
【発明の詳細な説明】
【技術分野】
【０００１】
本発明は、自動車をナビゲートするナビゲーション装置等の車載装置に関し、より詳しくは、自動車の乗員に合わせた言語で経路案内等の音声を発生する車載装置及び車載システムに関する。
【背景技術】
【０００２】
従来、自動車の現在位置を推定し、推定した現在位置から目的地点までの適切な経路を自動車の運転者に対して案内する自動車のナビゲーション装置が利用されている。通常のナビゲーション装置では、使用者の操作により目的地点の設定を受け付け、ＧＰＳ（Global Positioning System ）等の位置特定技術を用いて自動車の現在位置を特定し、光ディスク又はハードディスク等の記憶装置で記憶している地図データに基づいて現在位置から目的地点までの経路を探索する。その後、ナビゲーション装置は、自動車の走行に伴い、ディスプレイ上の表示及び音声を用いて自動車の運転者に対して経路を案内する。
【０００３】
ナビゲーション装置が案内に利用する言語は、通常、ナビゲーション装置が販売された国に合わせて定められている。例えば、日本で販売されるナビゲーション装置は、日本語で経路の案内を行う。しかし、通常使用される言語以外の言語を母国語とする者等、通常使用される言語以外の言語での案内を希望する使用者もいる。そこで、内部に複数種類の言語ライブラリーを備え、案内に使用する言語の種類を切り換えることができるナビゲーション装置が開発されている。特許文献１には、使用者の国籍等を含む個人情報を記録するＩＤカードを用い、ＩＤカードからナビゲーション装置が読み取った個人情報に応じた言語で使用者に対して案内を行う技術が開示されている。
【特許文献１】特開２０００−３１０５３５号公報
【発明の開示】
【発明が解決しようとする課題】
【０００４】
自動車には運転者を含め複数の乗員が乗車することがあり、乗員の間で希望する言語の種類が異なる可能性がある。ナビゲーション時に運転者に対して音声案内が必要であることは当然であるが、これに加えて、目的地点の設定及びルートの確認等のナビゲーションに必要な各種の操作を運転者以外の乗員が行うことがあり、運転者以外の乗員に対しても音声案内が必要になる。しかしながら、特許文献１に開示された技術等の従来の技術では、ナビゲーション装置が使用する言語の種類を切り換えるだけであるので、乗員の間で希望する言語が異なる場合には、一部の乗員が希望する言語のみでナビゲーション装置による音声案内が行われ、他の乗員は不慣れな言語での音声案内を聞かされることを強いられるという問題がある。
【０００５】
本発明は、斯かる事情に鑑みてなされたものであって、その目的とするところは、各乗員の夫々が希望する言語で音声案内を行うことができる車載装置及び車載システムを提供することにある。
【課題を解決するための手段】
【０００６】
本発明に係る車載装置は、自動車内の各着座位置に対応した複数のスピーカが接続される車載装置において、予め準備された複数種類の言語の内から一の言語の指定を受け付ける手段と、自動車の乗員が着座する着座位置の指定を受け付ける手段と、指定された着座位置に対応したスピーカに、指定された言語で音声を発生させる手段とを備えることを特徴とする。
【０００７】
本発明に係る車載装置は、自動車内の各着座位置に対応した複数のスピーカが接続される車載装置において、自動車に乗車する各乗員について、予め準備された複数種類の言語の内から一の言語の指定を受け付ける言語指定受付手段と、各乗員について、当該乗員が着座する着座位置の指定を受け付ける手段と、各乗員について指定された着座位置に対応したスピーカに、前記乗員について指定された言語で音声を発生させる手段とを備えることを特徴とする。
【０００８】
本発明に係る車載装置は、乗員を特定する乗員特定情報を受け付ける乗員特定情報受付手段と、該乗員特定情報受付手段が受け付けた乗員特定情報が特定する乗員について前記言語指定受付手段が受け付けた言語の指定で指定された一の言語を指定する言語指定情報を記憶する手段と、前記乗員特定情報受付手段が乗員特定情報を受け付けた場合に、受け付けた乗員特定情報が特定する乗員に係る言語指定情報が記憶されているか否かを判定する手段と、前記乗員に係る言語指定情報が記憶されている場合に、前記乗員について前記言語指定情報で指定された一の言語を指定する手段とを更に備えることを特徴とする。
【０００９】
本発明に係る車載システムは、自動車内の各着座位置に対応して設けられる複数のスピーカと、該スピーカが接続される車載装置とを含む車載システムにおいて、前記車載装置は、自動車に乗車する各乗員について、予め準備された複数種類の言語の内から一の言語の指定を受け付ける言語指定受付手段と、各乗員について、当該乗員が着座する着座位置の指定を受け付ける手段と、各乗員について指定された着座位置に対応したスピーカに、前記乗員について指定された言語で音声を発生させる手段とを備えることを特徴とする。
【００１０】
本発明に係る車載システムは、前記スピーカは、対応する着座位置に対して指向した指向性スピーカであることを特徴とする。
【００１１】
本発明においては、ナビゲーション装置等の車載装置は、言語の指定及び着座位置の指定を受け付け、指定された着座位置に対応するスピーカに、指定された言語で音声を発生させることにより、指定された着座位置に着座した乗員に対して、指定された言語で音声案内を行う。
【００１２】
本発明においては、ナビゲーション装置等の車載装置は、自動車に乗車する各乗員について言語の指定及び着座位置の指定を受け付け、指定された着座位置に対応するスピーカに、指定された言語で音声を発生させることにより、指定された着座位置に着座した各乗員に対して、各乗員について指定された言語で音声案内を行う。
【００１３】
また本発明においては、車載装置は、乗員特定情報が特定する乗員について言語を指定した言語指定情報を記憶し、乗員特定情報を受け付けた場合に、言語指定情報で指定された言語で音声を発生させることにより、乗員に対して予め指定された言語で音声案内を行う。
【００１４】
更に本発明においては、スピーカは対応する着座位置に対して指向した指向性スピーカであり、対応する着座位置に対して指向性のよい音声を発生させる。
【発明の効果】
【００１５】
本発明にあっては、指定された着座位置に着座した乗員に対して、着座位置に対応した特定のスピーカから、指定された言語で音声が発生されるので、複数の乗員が自動車に乗車する場合であっても、各乗員が着座する着座位置において指定された言語の音声が発生され、複数の乗員は夫々に好みの言語で音声案内を受けることが可能となる。
【００１６】
また本発明にあっては、各スピーカは対応する着座位置に対して指向性のよい音声を発生させるので、着座位置に着座した乗員に対して音声が特に良く聞こえるようになっており、各乗員はより聞き易い環境で音声案内を受けることが可能となる等、本発明は優れた効果を奏する。
【発明を実施するための最良の形態】
【００１７】
以下本発明をその実施の形態を示す図面に基づき具体的に説明する。
図１は、本発明の車載システムの構成を示すブロック図である。図中１は、本発明の車載装置であるナビゲーション装置であり、ナビゲーション装置１は、ナビゲート対象の自動車に設置されており、自動車の位置を推定しながら目的地点までの適切な経路を案内するナビゲーションを行う。ナビゲーション装置１は、演算を行うためのＣＰＵ、及び演算に伴う一時的な情報を記憶するＲＡＭを含んでなる制御処理部１１を備え、制御処理部１１には、ハードディスクで構成されたＨＤ部１４、及びフラッシュメモリ等の書き換え可能な不揮発性メモリで構成されたメモリ部１５が接続されている。メモリ部１５は制御プログラムを記憶しており、制御処理部１１は、必要に応じて制御プログラムをメモリ部１５からロードし、ロードした制御プログラムに従ってナビゲーション装置１の動作を制御する処理を実行する。またＨＤ部１４は、地図を表す地図データと、日本語、英語及び中国語等の複数種類の言語による音声を表した音声データとを記憶している。音声データは、経路案内を行うための音声等の各種の音声を表したデータである。
【００１８】
なお、ＨＤ部１４が実現する機能は、全てがハードディスクで実現されている必要はなく、半導体メモリで実現されていてもよく、また複数の半導体メモリ又はハードディスクの組み合わせにより実現されていてもよい。例えば、ＨＤ部１４の地図データを記憶する機能は、外部から受信した地図データ、又は光ディスク等の記録媒体から読み出した地図データを一時的に記憶するメモリで実現してもよい。またナビゲーション装置１は、内部のＨＤ部１４に地図データを記憶した形態に限るものではなく、外部のハードディスク又は光ディスク等の記憶手段に記憶されている地図データを必要に応じて読み込むことによって地図データを利用する形態であってもよい。
【００１９】
また制御処理部１１には、液晶ディスプレイ等の表示部１２と、自動車の乗員の操作により各種の指示を入力される入力部１３とが接続されている。表示部１２は、ナビゲーションを行うために必要な地図、画像及び文字を表示する。入力部１３は、表示部１２と組み合わせたタッチパネル、各種のスイッチ、音声認識手段等を用いて構成されている。また入力部１３は、乗員が操作する図示しないリモートコントローラからの信号を受信することで各種の指示を入力される構成であってもよい。
【００２０】
また制御処理部１１には、ＧＰＳ衛星から送信されるＧＰＳ信号、自動車の加速度、自動車の方位又は自動車の車速パルス等、自動車の位置を推定するために必要な位置情報を取得する位置情報取得部１６が接続されている。位置情報取得部１６は、ＧＰＳ信号を受信する受信手段、自動車から車速パルスを入力されるインタフェース、加速度を検出する加速度センサ、及び方位を検出する方位センサ等からなる。制御処理部１１は、位置情報取得部１６が取得した位置情報に基づいて自動車の位置を計算し、更にＨＤ部１４が記憶する地図データを用いてマップマッチングを行うことにより、自動車の位置を推定する処理を行う。
【００２１】
また制御処理部１１には、渋滞の有無等、交通の状況を示す交通情報を受信する交通情報受信部１７が接続されている。交通情報受信部１７は、ビーコン又はＦＭ放送波等を用いて車外から送信される交通情報を受信する。制御処理部１１は、交通情報受信部１７が受信した交通情報を記憶し、必要に応じて交通情報の内容を画像又は文字で表示部１２に表示させる処理を行う。
【００２２】
また制御処理部１１には、乗員が所有する携帯電話機４と無線通信を行う通信インタフェースである通信部２１が接続されている。制御処理部１１は、通信部２１及び携帯電話機４の両方が利用できるＢｌｕｅｔｏｏｔｈ（登録商標）等の無線規格により、通信部２１を介して携帯電話機４から送信された情報を受信する。通信時には、携帯電話機４は機器に固有のＩＤ情報を通信部２１へ送信し、制御処理部１１は、通信部２１で携帯電話機４のＩＤ情報を受信することで携帯電話機４及び携帯電話機４の使用者を認証する。なお、携帯電話機４を認証することができる無線規格であれば、どのような種類の無線規格を利用してもよい。
【００２３】
更に制御処理部１１には、ＨＤ部１４が記憶する音声データに基づいた音声を発生させるための処理を行う音声処理部２２が接続されている。音声処理部２２は、ＨＤ部１４が記憶するデジタルの音声データを、スピーカのボイスコイルに流れることで音声が発生するアナログの音声信号へ変換する処理を行う。音声処理部２２には、生成した音声信号の出力先を切り換える切換部２３が接続されており、切換部２３には、自動車の各所に設けられた複数のスピーカ３，３，…が接続されている。
【００２４】
図２は、ナビゲーション装置１及びスピーカ３，３，…の配置を示す模式図である。ナビゲーション装置１は、自動車内で、運転者の着座位置よりも前に配置されている。複数のスピーカ３，３，…は、自動車中で夫々が各座席の脇に配置されており、各スピーカ３は各着座位置に対応して設けられている。スピーカ３は、指向性のスピーカであり、座席の脇に設けられることで、乗員がその座席に着座する着座位置に対して指向するように配置されている。即ち、スピーカ３からは対応する着座位置に指向した音声が発生され、その着座位置に着座した乗員にはスピーカ３からの音がよく聞こえるものの、他の着座位置に着座した乗員にはスピーカ３からの音はあまり聞こえない。なお、ナビゲーション装置１は、表示部１２及び入力部１３として、前座席の背面に設けられたタッチパネル等、後座席に着座した乗員が情報を閲覧して指示を入力することができる手段を備えてもよい。
【００２５】
音声処理部２２は、複数種類の言語で音声を表した音声データに基づき、複数種類の言語の音声信号を実質的に並行して生成する処理を実行することができる。切換部２３は、スピーカ３，３，…の中から、制御処理部１１の制御により、音声処理部２２が生成した音声信号の言語に応じてその出力先となるスピーカ３を切り換える。音声処理部２２は、切換部２３によって出力先として切り換えられたスピーカ３へ、切換部２３を介して音声信号を出力する。スピーカ３は、音声処理部２２から音声信号を入力され、音声信号に応じた音声を発生する。例えば、音声処理部２２が二つのスピーカ３，３へ互いに異なる言語の音声信号を入力した場合は、異なる言語の音声がスピーカ３，３からほぼ同時に発生することとなる。
【００２６】
またメモリ部１５は、自動車の乗員となる各個人について使用する言語と最後に乗車したときに自動車内に着座した着座位置を記録した個人設定情報を記憶している。図３は、個人設定情報の内容例を示す概念図である。携帯電話機４のＩＤ情報に関連付けて、携帯電話機４を使用する個人の名前、使用する言語の種類、及び着座位置が記録されている。この内、名前は各個人を認識し易いように任意に定めたものである。また着座位置は、自動車内の各着座位置に付した番号で表されている。個人設定情報は、本発明における言語指定情報に対応する。またＨＤ部１４又はメモリ部１５は、自動車における着座位置の数及び位置、並びに各着座位置に対応するスピーカ３の区別等、ナビゲーション装置１が備えられた自動車に係る情報を記憶している。
【００２７】
次に、以上の構成でなる本発明の車載システムが行う処理を説明する。図４は、ナビゲーション装置１が実行する処理の手順を示すフローチャートである。ナビゲーション装置１は、まず、無線通信で携帯電話機４からＩＤ情報を通信部２１で受信することによる、携帯電話機４からの接続を待ち受ける（Ｓ１）。このとき制御処理部１１が受け付ける携帯電話機４のＩＤ情報は、携帯電話機４を使用する乗員を特定する乗員特定情報に対応する。接続がない場合は（Ｓ１：ＮＯ）、制御処理部１１は、接続の待ち受けを続行する。携帯電話機４からの接続があった場合は（Ｓ１：ＹＥＳ）、制御処理部１１は、複数の携帯電話機４から接続されたか否かを判定する（Ｓ２）。複数の携帯電話機４から接続された場合は（Ｓ２：ＹＥＳ）、制御処理部１１は、各携帯電話機４を順番に接続させることを指示する画面を表示部１２に表示させ（Ｓ３）、処理をステップＳ１へ戻す。
【００２８】
ステップＳ２で、接続された携帯電話機４が単数であった場合は（Ｓ２：ＮＯ）、制御処理部１１は、次に、携帯電話機４から受信したＩＤ情報に関連付けられた個人設定情報をメモリ部１５が記憶しているか否かを判定する（Ｓ４）。個人設定情報をメモリ部１５が記憶していない場合は（Ｓ４：ＮＯ）、制御処理部１１は、乗員の名前を入力するための入力画面を表示部１２に表示し、乗員の操作により入力部１３で乗員の名前の入力を受け付ける名前受付処理を行う（Ｓ５）。制御処理部１１は、次に、ナビゲーション装置１が使用可能な複数種類の言語の内、ＩＤ情報で特定される乗員に対して使用する言語の指定を受け付けるための受付画面を表示部１２に表示し、乗員の操作により入力部１３で言語の指定を受け付ける言語指定受付処理を行う（Ｓ６）。
【００２９】
図５は、言語の指定を受け付けるための受付画面の例を示す模式図である。日本語、英語、及び中国語等のナビゲーション装置１で準備されている複数種類の言語のリストが表示されている。入力部１３であるタッチパネル又はテンキー等を乗員が操作することにより、リストの中からいずれかの言語が指定される。このとき、乗員は、母国語等、ナビゲーションでの音声案内での使用を希望する十分の好みに合った言語を指定する。ここで、リストに含まれる複数種類の言語は、その言語での音声を表した音声データをＨＤ部１４で記憶しているものである。
【００３０】
制御処理部１１は、次に、自動車内の複数の着座位置の内、ＩＤ情報で特定される乗員が着座する着座位置の指定を受け付けるための受付画面を表示部１２に表示し、乗員の操作により入力部１３で着座位置の指定を受け付ける着座位置指定受付処理を行う（Ｓ７）。図６は、着座位置の指定を受け付けるための受付画面の例を示す模式図である。自動車内の着座位置を示す画像が表示され、各着座位置の夫々に番号が付されており、入力部１３であるタッチパネル又はテンキー等を乗員が操作することにより、いずれかの着座位置が指定される。
【００３１】
制御処理部１１は、次に、受け付けた携帯電話機４のＩＤ情報に、受け付けた名前、言語及び着座位置を関連付けた個人設定情報を作成し、メモリ部１５に記憶させる（Ｓ８）。制御処理部１１は、次に処理を後述のステップＳ１２へ進める。
【００３２】
ステップＳ４で、携帯電話機４から受信したＩＤ情報に関連付けられた個人設定情報をメモリ部１５が記憶している場合は（Ｓ４：ＹＥＳ）、制御処理部１１は、ＩＤ情報に関連付けられた個人設定情報の内容を読み出し、乗員の着座位置を確認するための着座位置確認用の画面を表示部１２に表示させる（Ｓ９）。図７は、着座位置確認用の画面の例を示す模式図である。個人設定情報に記録された乗員の名前が表示され、更に自動車内の着座位置を示す画像が表示されており、個人設定情報に記録された着座位置が強調されて表示されている。強調された着座位置は、乗員が前回乗車した際に個人設定情報に記録されたものである。前回から着座位置の変更がない場合は、乗員は入力部１３によりＯＫを入力し、着座位置が変更している場合は、乗員は着座位置を変更すべく入力部１３により他の着座位置を指定する。
【００３３】
制御処理部１１は、次に、入力部１３により着座位置の変更を受け付けたか否かを判定する（Ｓ１０）。着座位置の変更を受け付けた場合は（Ｓ１０：ＹＥＳ）、制御処理部１１は、ＩＤ情報に関連付けられた着座位置を新たに指定された着座位置に変更すべく、メモリ部１５が記憶する個人設定情報を修正する（Ｓ１１）。
【００３４】
ステップＳ８が終了した場合、ステップＳ１１が終了した場合、又はステップＳ１０で着座位置の変更がなかった場合は（Ｓ１０：ＮＯ）、制御処理部１１は、個人設定情報で、メモリ部１５が記憶する個人設定情報の内容に従って、ステップＳ１で受け付けたＩＤ情報に関連付けられた着座位置に係る言語を、同一のＩＤ情報に関連付けられた種類の言語に設定する（Ｓ１２）。制御処理部１１は、次に、他の乗員があるか否かを受け付けるための画面を表示部１２に表示し、入力部１３で他の乗員があるか否かの指定を受け付ける等の処理により、着座位置をまだ指定していない乗員が他にいるか否かを判定する処理を行う（Ｓ１３）。他に乗員がいる場合は（Ｓ１３：ＹＥＳ）、制御処理部１１は、他の乗員が使用する携帯電話機４を用いた次の接続を指示する画面を表示部１２に表示させることにより、次の接続を指示し（Ｓ１４）、処理をステップＳ１へ戻す。
【００３５】
ステップＳ１３で、着座位置をまだ指定していない乗員がいない場合は（Ｓ１３：ＮＯ）、制御処理部１１は、乗員が着座する着座位置に対応して設けられたスピーカ３に、ステップＳ１２で設定された言語で音声を発生させる処理を開始する（Ｓ１５）。この処理では、制御処理部１１は、各着座位置に対応するスピーカ３へ各着座位置について設定された言語の音声信号が出力されるように、切換部２３に、音声処理部２２が生成した各言語の音声信号の出力先のスピーカ３を切り換える処理を実行させる。ナビゲーションでの音声案内を行う際には、制御処理部１１は、必要に応じた内容の音声データをＨＤ部１４から読み出し、音声処理部２２に、各着座位置について設定された言語の音声データを音声信号に変換させ、切換部２３によって切り換えられた出力先のスピーカ３へ生成した音声信号を出力させる。各スピーカ３は、入力された音声信号に応じた音声を発生する。着座位置に対応するスピーカ３から、その着座位置について設定された言語の音声が発生されることとなり、着座位置に着座した乗員は自分の好みに合った言語でナビゲーション又は操作説明等の音声案内を受けることができる。
【００３６】
以上説明した処理では、複数の携帯電話機４がナビゲーション装置１に接続する場合には各携帯電話機４を順番に接続する処理を示したが、ナビゲーション装置１が行う処理はこれに限るものではない。例えば、ナビゲーション装置１は、複数の携帯電話機４の夫々を特定するＩＤ情報等の情報の一覧を表示部１２に表示させ、いずれかの携帯電話機４の選択を受け付け、選択された携帯電話機４についてステップＳ４以降の処理を行う形態であってもよい。またナビゲーション装置１は、ＩＤ情報を含む個人設定情報が記憶されている携帯電話機４については、ＩＤ情報に関連付けられている名前のリストを表示部１２に表示させ、個人設定情報が記憶されていない携帯電話機４については、個別の接続を指示する処理を行う形態であってもよい。
【００３７】
以上詳述したように、本発明においては、ナビゲーション装置１は、利用可能な複数種類の言語の中から一の言語の指定を受け付け、自動車における複数の着座位置の中から一の着座位置の指定を受け付け、指定された着座位置に対応するスピーカ３に、指定された言語で音声を発生させる。複数の乗員が自動車に乗車する場合であっても、各乗員について言語及び着座位置を指定することによって、各乗員が着座する着座位置において指定された言語の音声が発生され、複数の乗員は夫々が希望する言語で音声案内を受けることが可能となる。また本発明においては、ナビゲーション装置１は、無線通信を用いた接続が可能な携帯電話機４のＩＤ情報に関連付けて、携帯電話機４の使用者である乗員に係る言語を指定した個人設定情報を記憶しておき、携帯電話機４からの接続を受け付けた場合に、個人設定情報に従って言語を指定する。乗員の希望する言語は変更される可能性が低い一方で、乗員の着座位置は乗車の都度変更される可能性がより高いので、ナビゲーション装置１は、処理の都度、乗員の着座位置の確認を行う。これにより、使用すべき言語を設定するための手間を減少させ、乗員は着座位置を確認するだけでより容易に希望の言語で音声案内を受けることができる。また各スピーカ３は対応する着座位置に指向した指向性スピーカであるので、着座位置に着座した乗員には、スピーカ３からの音声が聞こえ易く、他の着座位置に対応するスピーカ３からの音声は聞こえ難くなり、各乗員は聞き易い環境で希望の言語による音声案内を受けることが可能となる。
【００３８】
なお、本実施の形態においては、ナビゲーション装置１は、携帯電話機４からＩＤ情報を受け付け、ＩＤ情報に言語の指定を関連付けた個人設定情報を記憶する形態を示したが、本発明に係るナビゲーション装置１は、これに限るものではなく、携帯電話機４から、ＩＤ情報と共に言語及び／又は着座位置の指定を示す情報を受け付け、受け付けた情報に従って言語を設定する処理を行う形態であってもよい。また本発明に係るナビゲーション装置１は、ＩＤ情報を処理に用いずに、言語及び／又は着座位置の指定を示す情報を携帯電話機４から受け付け、受け付けた情報に従って言語を設定する処理を行う形態であってもよい。
【００３９】
また本実施の形態においては、携帯電話機４を用いて各乗員を特定する処理を行う形態を示したが、これに限るものではなく、本発明に係るナビゲーション装置１は、乗員を特定するためのその他の手段を利用する形態であってもよい。例えば、ナビゲーション装置１は、他の通信機器又はＩＤカード等から乗員を特定できる情報を受け付ける形態であってもよい。またナビゲーション装置１は、乗員を特定する情報として声紋又は指紋等の乗員の生体情報を受け付ける形態であってもよい。
【００４０】
また本実施の形態においては、個人設定情報を記憶し、個人設定情報に従った処理を行う形態を示したが、これに限るものではなく、本発明に係るナビゲーション装置１は、同一の乗員が何度も乗員が自動車に乗車する都度、言語及び着座位置の指定を毎回受け付け、受け付けた言語及び着座位置の指定に従って言語を設定する処理を行う形態であってもよい。また本発明に係るナビゲーション装置１は、携帯電話機４のＩＤ情報等の乗員を特定できる情報を受け付けることなく、乗員が入力部１３を直接操作する等の方法により、言語及び着座位置の指定を受け付け、乗員を特定する処理を行うことなく、言語と着座位置との対応を設定する処理を行う形態であってもよい。この形態の場合であっても、言語と着座位置との対応が設定される以上、その着座位置にその言語を希望する乗員が着座することで、乗員は聞き易い環境で希望の言語による音声案内を受けることが可能となる。
【００４１】
また本実施の形態においては、本発明の車載装置としてナビゲーション装置の例を示したが、これに限るものではなく、本発明の車載装置は、オーディオ装置、ＡＶ装置、又は車載コンピュータ等のその他の装置であってもよい。車載装置がナビゲーション装置以外の装置であっても、車載装置は、操作を説明するための音声案内を各言語で行うことができ、また映像に伴う音声を各言語で発生する等の方法でコンテンツを各言語で出力することもできる。従って、この場合であっても、各乗員は希望の言語で音声サービスを受けることができる。
【図面の簡単な説明】
【００４２】
【図１】本発明の車載システムの構成を示すブロック図である。
【図２】ナビゲーション装置及びスピーカの配置を示す模式図である。
【図３】個人設定情報の内容例を示す概念図である。
【図４】ナビゲーション装置が実行する処理の手順を示すフローチャートである。
【図５】言語の指定を受け付けるための受付画面の例を示す模式図である。
【図６】着座位置の指定を受け付けるための受付画面の例を示す模式図である。
【図７】着座位置確認用の画面の例を示す模式図である。
【符号の説明】
【００４３】
１  ナビゲーション装置（車載装置）
１１  制御処理部
１２  表示部
１３  入力部
１４  ＨＤ部
１５  メモリ部
２１  通信部
２２  音声処理部
２３  切換部
３  スピーカ
４  携帯電話機
【図１】
2009073428.tif 000003
【図２】
2009073428.tif 000004
【図３】
2009073428.tif 000005
【図４】
2009073428.tif 000006
【図５】
2009073428.tif 000007
【図６】
2009073428.tif 000008
【図７】
2009073428.tif 000009